(57)【要約】【課題】新しい不正貨幣を早期に発見して当該不正貨幣の使用を排除することができるような真偽判別基準更新システム、価値媒体処理装置、及びデータ管理装置を提供する。【解決手段】価値媒体の特徴を特徴データとして読取る特徴読取手段と、該特徴データに対し真偽判別基準に基づく真偽判別を行う真偽判別手段とを備えた価値媒体処理装置に、通信手段を備えたデータ管理装置を接続した真偽判別基準更新システムに対して、前記価値媒体処理装置に、前記特徴データを送信する送信手段を備え、前記データ管理装置に、前記特徴データに基づいて生成の新基準を前記価値媒体処理装置の真偽判別基準に登録する登録手段を備えた。【選択図】    図４
2004303130.tif 000002
【特許請求の範囲】
【請求項１】
価値媒体の特徴を特徴データとして読取る特徴読取手段と、該特徴データに対し真偽判別基準に基づく真偽判別を行う真偽判別手段とを備えた価値媒体処理装置に、
通信手段を備えたデータ管理装置を接続した真偽判別基準更新システムであって、
前記価値媒体処理装置に、前記特徴データを送信する送信手段を備え、
前記データ管理装置に、前記特徴データに基づいて生成の新基準を前記価値媒体処理装置の真偽判別基準に登録する登録手段を備えた
真偽判別基準更新システム。
【請求項２】
前記価値媒体処理装置の真偽判別基準に、真偽が不明確である疑惑範囲を設定し、
該価値媒体処理装置に、前記真偽判別手段による上記疑惑範囲の価値媒体の発見に基づいて前記特徴データの送信を実行する送信制御手段を備えた
請求項１記載の真偽判別基準更新システム。
【請求項３】
前記送信制御手段による特徴データの送信時期を、前記疑惑範囲内でかつ所定誤差内となる特徴データを所定回数認識したときに設定した
請求項２記載の真偽判別基準更新システム。
【請求項４】
前記データ管理装置に、新基準を生成する新基準生成手段を備えた
請求項１、２又は３記載の真偽判別基準更新システム。
【請求項５】
価値媒体の特徴を特徴データとして読取る特徴読取手段と、
上記特徴データに対し真偽判別基準に基づいて価値媒体の真偽判別を実行する真偽判別手段と、
真偽判別を行った価値媒体に関する特徴データを送信する送信手段とを備えた
価値媒体処理装置。
【請求項６】
価値媒体の特徴を特徴データとして読取る特徴読取手段と、
上記特徴データに対し真偽判別基準に基づいて価値媒体の真偽判別を実行する真偽判別手段と、
上記真偽判別基準を更新するべく新基準を受信する受信手段とを備えた
価値媒体処理装置。
【請求項７】
価値媒体処理装置と通信する通信手段と、
該通信手段で上記価値媒体処理装置から受信した特徴データに基づいて真偽判別の新基準を生成する新基準生成手段とを備えた
データ管理装置。
【請求項８】
価値媒体処理装置と通信する通信手段と、
新基準を上記価値媒体処理装置の真偽判別基準に登録する登録手段とを備えた
データ管理装置。
【請求項９】
価値媒体処理装置の特徴読取手段で価値媒体から読取った特徴データを記憶する記憶処理と、
該記憶した特徴データと新規に読取った価値媒体の新規特徴データを比較する比較処理と、
該比較結果に基づいて価値媒体に対する新たな真偽判別基準を出力する出力処理とを設定した
新判別基準出力プログラム。
【発明の詳細な説明】
【０００１】
【発明の属する技術分野】
この発明は、例えば価値媒体等の価値に対応する遊技数にしたがって遊技を許容するパチンコ機やパチスロ機などの遊技機を備えたパチンコ遊技場等の施設にあって、価値媒体の真偽判別基準を更新するような真偽判別基準更新システム、価値媒体処理装置、及びデータ管理装置に関する。
【０００２】
【従来の技術】
従来、新紙幣や新たに発見された不正紙幣に対応するための真偽判別プログラムを変更する場合には、台間機に搭載された紙幣識別装置そのものを交換する、紙幣識別装置内の真偽判別プログラムが書き込まれたＲＯＭを交換するといった方法が主流であった。
【０００３】
最近では、紙葉類鑑別データ採取装置を接続したパーソナルコンピュータに、通信ネットワークを介してホストコンピュータから鑑定処理用のデータを配信するフレキシブル紙葉類鑑定装置が提案されている（特許文献１参照）。
【０００４】
【特許文献１】
特開２００１−１９５６２８号公報。
【０００５】
【発明が解決しようとする課題】
しかし、上記フレキシブル紙葉類鑑定装置は、複数の紙葉類鑑別データ採取装置に対してデータ配信により鑑定用のデータを一括更新することができるものの、当該鑑定用のデータの作成は、新紙幣の発行時や不正紙幣の発見時に行われるものであり、採取したデータを何ら利用していなかった
この発明は、上述の問題に鑑みて、新しい不正貨幣を早期に発見して当該不正貨幣の使用を排除することができるような真偽判別基準更新システム、価値媒体処理装置、及びデータ管理装置を提供することを目的とする。
【０００６】
【課題を解決するための手段】
この発明は、価値媒体の特徴を特徴データとして読取る特徴読取手段と、該特徴データに対し真偽判別基準に基づく真偽判別を行う真偽判別手段とを備えた価値媒体処理装置に、通信手段を備えたデータ管理装置を接続した真偽判別基準更新システムであって、前記価値媒体処理装置に、前記特徴データを送信する送信手段を備え、前記データ管理装置に、前記特徴データに基づいて生成の新基準を前記価値媒体処理装置の真偽判別基準に登録する登録手段を備えたことを特徴とする。
【０００７】
前記特徴読取手段は、青色ＬＥＤ（発光ダイオード）や赤色ＬＥＤといったＬＥＤや赤外線検出手段等で構成する透過率取得手段、回転数を検出可能なモータや光検出手段で構成するサイズ取得手段、又は、インク等の磁気を検出する磁気検出手段等、価値媒体の特徴を読取り可能な手段で構成することを含む。
【０００８】
前記真偽判別基準は、前記価値媒体の真偽を判別する基準となる基準データで構成することを含む。
前記真偽判別手段は、上記新規判別基準と前記特徴データを比較して真偽を判別する制御手段で構成することを含む。
【０００９】
前記価値媒体は、紙幣や硬貨等の貨幣で構成する、又は、紙幣や株券等の紙葉類で構成することを含む。
前記価値媒体処理装置は、前記価値媒体の真偽判別を実行する装置で構成することを含み、台間機、該台間機に内蔵する価値媒体処理ユニットで構成することを含む。
【００１０】
前記通信手段は、ＬＡＮボードやモデム等、データの通信が可能な装置で構成することを含む。
前記データ管理装置は、パーソナルコンピュータやワークステーション等、データの管理が可能な装置で構成することを含む。
【００１１】
前記特徴データは、赤外線値や磁気値やサイズ等、前記特徴読取手段で読取ったデータで構成することを含む。
前記送信手段は、ＬＡＮボードやモデム等、データの送信が可能な装置で構成することを含む。
【００１２】
前記新基準は、真偽判別基準と入れ替え更新できるように該真偽判別基準に新しい基準を追加・変更・削除して形成した更新用全基準、又は、前記真偽判別基準に追加できるように形成した追加用一部基準で構成することを含む。
【００１３】
前記登録手段は、前記通信手段に前記価値媒体処理装置へ新基準を送信させる制御手段、前記価値媒体処理装置に対して新基準のダウンロードを許容する制御手段等、新基準を前記価値媒体処理装置に登録可能な手段で構成することを含む。
【００１４】
前記構成により、価値媒体の特徴データを収集し、真偽判別の基準となる真偽判別基準を容易に登録することが可能となり、例えば偽物の価値媒体が価値媒体処理装置に投入された場合に、当該偽物の価値媒体を排除するように真偽判別基準を更新するまでのタイムラグを短縮して被害を最小限に防止することができる。
【００１５】
この発明の態様として、前記価値媒体処理装置の真偽判別基準に、真偽が不明確である疑惑範囲を設定し、該価値媒体処理装置に、前記真偽判別手段による上記疑惑範囲の価値媒体の発見に基づいて前記特徴データの送信を実行する送信制御手段を備えることができる。
【００１６】
前記疑惑範囲は、真偽判別する境界部分近傍の範囲で構成することを含む。
前記送信制御手段は、ＣＰＵやＭＰＵ等の制御手段で構成することを含む。
【００１７】
前記構成により、真偽に疑惑のある価値媒体についてのみ特長データを送信し、全体での特徴データの送信量を削減してシステムの負荷を軽減することができる。
【００１８】
またこの発明の態様として、前記送信制御手段による特徴データの送信時期を、前記疑惑範囲内でかつ所定誤差内となる特徴データを所定回数認識したときに設定することができる。
【００１９】
前記所定誤差は、例えばある偽券が発見された場合に当該偽券において発生する特長のばらつき誤差のように特有の特徴を認識可能な微小誤差、又は、予め定めた設定誤差等の誤差で構成することを含み、特徴データ全体での誤差、あるいは特徴データの各パラメータ毎の誤差で構成することを含む。
【００２０】
前記所定回数は、１回又は複数回に設定することを含む。
前記構成により、さらに特徴データの送信量を削減して、システムの負荷を格段に軽減することができる。また、設定によっては、データ管理装置が前記特徴データを受信すればそのまま新基準を生成して価値媒体処理装置に登録することも可能となる。
【００２１】
またこの発明の態様として、前記データ管理装置に、新基準を生成する新基準生成手段を備えることができる。
【００２２】
前記新基準生成手段は、所定回数受信した前記特徴データの平均データや最大誤差範囲データ、又は、前記特徴データそのもの等、特徴データに基づいて生成した基準で構成することを含む。
【００２３】
前記構成により、データ管理装置で新基準データを適切に自動生成することが可能となり、偽物の価値媒体への即時対応が可能となる。特に複数の価値媒体処理装置を通信可能に接続しているような場合には、複数の価値媒体処理装置で小分けして偽物の価値媒体が使用されるような場合にも対応することができ、真偽判別基準の更新速度及び適切性が向上する。
【００２４】
またこの発明は、価値媒体の特徴を特徴データとして読取る特徴読取手段と、上記特徴データに対し真偽判別基準に基づいて価値媒体の真偽判別を実行する真偽判別手段と、真偽判別を行った価値媒体に関する特徴データを送信する送信手段とを備えた価値媒体処理装置とすることができる。
これにより、価値媒体処理装置で現実に特徴データを送信することが可能となる。
【００２５】
またこの発明は、価値媒体の特徴を特徴データとして読取る特徴読取手段と、上記特徴データに対し真偽判別基準に基づいて価値媒体の真偽判別を実行する真偽判別手段と、上記真偽判別基準を更新するべく新基準を受信する受信手段とを備えた価値媒体処理装置とすることができる。
これにより、価値媒体処理装置に対して現実に新基準を登録することが可能となる。
【００２６】
またこの発明は、価値媒体処理装置と通信する通信手段と、該通信手段で上記価値媒体処理装置から受信した特徴データに基づいて真偽判別の新基準を生成する新基準生成手段とを備えたデータ管理装置とすることができる。
これにより、データ管理装置で現実に新基準を生成することが可能となる。
【００２７】
またこの発明は、価値媒体処理装置と通信する通信手段と、新基準を上記価値媒体処理装置の真偽判別基準に登録する登録手段とを備えたデータ管理装置とすることができる。
これにより、データ管理装置が現実に新基準を価値媒体処理装置に登録することが可能となる。
【００２８】
またこの発明は、価値媒体処理装置の特徴読取手段で価値媒体から読取った特徴データを記憶する記憶処理と、該記憶した特徴データと新規に読取った価値媒体の新規特徴データを比較する比較処理と、該比較結果に基づいて価値媒体に対する新たな真偽判別基準を出力する出力処理とを設定した新判別基準出力プログラムとすることができる。
【００２９】
前記出力処理は、新たな真偽判別基準をプログラムの戻り値として出力する処理、他の装置に送信する処理、あるいは真偽判別を行う価値媒体処理装置に上記真偽判別基準を反映させる処理で構成することを含む。
前記構成により、新判別基準出力プログラムをインストールして真偽判別基準管理システムを構築することが可能となる。
【００３０】
【発明の効果】
この発明により、価値媒体の特徴データを収集し、真偽判別の基準となる真偽判別基準を容易に登録することが可能となり、例えば偽物の価値媒体が価値媒体処理装置に投入された場合に、当該偽物の価値媒体を排除するように真偽判別基準を更新するまでのタイムラグを短縮して被害を最小限に防止することができる。
【００３１】
【発明の実施の形態】
この発明の一実施形態を以下図面と共に説明する。
遊技場（ホール）には、図１のシステム構成図に示すように、記録媒体精算機２、記録媒体販売機３、データ管理装置４、台間機７、及び遊技機８をケーブル６で接続した真偽判別基準管理システム１を備えている。上記データ管理装置４は、管理センタのホストコンピュータ５に接続しており、価値媒体の一種であるＩＣコイン（ＩＣカード、磁気カ−ド、又はプリペ−ドカ−ド等の他の価値媒体で構成しても良い）の発行情報等を送信している。
【００３２】
前記遊技機８には、パチンコ機とパチスロ機（スロットルマシ−ン）等の種類がある。
上記パチンコ機は、利用者が遊技球を遊技球投入装置に投入し、操作装置を操作して遊技球射出装置で遊技球を射出して遊技する。射出された遊技球は、遊技面に設けられた釘で弾かれつつチャッカ装置に入ることで、遊技表示装置のスロットが回転し、停止時に表示している数字や絵柄の揃い方に応じて遊技球が払い出される。
【００３３】
上記パチスロ機は、利用者が遊技メダルをメダル投入装置に投入し、操作装置のスタートボタンを押下すると、駆動装置によってドラムが回転し、停止時に揃った絵柄や数字に応じて遊技メダルが払い出される。
【００３４】
ドラムの回転は前記操作装置の回転停止ボタンにより、利用者が任意のタイミングで停止することができ、パチスロ機内に投入されている遊技メダル数は、表示装置によって常時表示されている。
【００３５】
ドラムが揃った場合の遊技メダルの払い出しは、上記表示装置で表示する遊技メダル数の増加によって行い、利用者にペイアウト（払い出し）ボタンが押下されたときに、全遊技メダルを払い出し口から実際に払い出す。
【００３６】
前記記録媒体精算機２は、遊技球又は遊技メダルを投入すると、その個数を測定して会員カード（ＩＣカード）等に書き込む精算処理を実行する。
前記記録媒体販売機３は、貨幣（紙幣又は硬貨）の投入を受けて、遊技球又は遊技メダルを払い出して販売する。
【００３７】
前記データ管理装置４は、利用者に販売した遊技球や遊技メダルの個数等を管理する。
前記台間機７は、遊技機８に接続しており、遊技球又は遊技メダルの販売等を実行する。
以上の構成により、利用者はパチンコ機やパチスロ機で遊技することができる。
【００３８】
次に、図２に示すブロック図と共に、台間機７の回路構成について説明する。台間機７には、紙幣識別装置１０、及び台間機制御部２０を備えている。
【００３９】
前記紙幣識別装置１０には、読取機構部１１、ＣＰＵ１２、ＲＡＭ１３、インタフェース１４、及びＦＲＯＭ１５を備えている。
【００４０】
前記読取機構部１１は、紙幣をモータ駆動により搬送する搬送部と、赤外線センサ（例えば３つ）及び磁気センサ（例えば２つ）で構成する特徴読取部とで構成し、投入された紙幣の特徴を読取る。
【００４１】
前記ＣＰＵ１２は、ＦＲＯＭ１５に格納されているプログラムに従って各種制御処理を実行する。該制御処理として、前記読取機構部１１で紙幣の特徴を読取る読取制御処理、読取った紙幣データをインタフェース１４から台間機制御部２０に送信する送信制御処理も実行する。
【００４２】
前記ＲＡＭ１３は、前記ＣＰＵ１２が各処理の際にワークエリアとして利用する書き換え可能な揮発性メモリである。
【００４３】
前記インタフェース１４は、台間機制御部２０への通信接続用のインタフェースであり、台間機制御部２０とのデータの送受信を実行する。
【００４４】
前記ＦＲＯＭ１５は、必要なプログラム及びデータを格納する書き換え可能な不揮発性メモリである。紙幣の真偽判別を実行するための真偽判別プログラム（紙幣識別プログラム）、不正の有無を判断する不正判断プログラム、及び必要な紙幣データを送信するための紙幣データ送信プログラムを格納している。
【００４５】
なお、上記真偽判別プログラムには、図３の基準データのイメージ説明図に示すように、真偽判別の基準となる基準データをプログラム中に格納しており、該基準データとして、真券を示す真券範囲データ４１と共に、真偽判別の境界部分近傍を示すグレー範囲データ４２を格納している。
【００４６】
また、該真偽判別プログラムは、紙幣データを読込む紙幣データ読込処理、真偽を判別する真偽判別処理、真札と判断した紙幣データがグレー範囲に該当するか判別するグレー判別処理を実行する。
【００４７】
また、上記不正判断プログラムは、前記グレー範囲に該当した紙幣データを蓄積する蓄積処理、蓄積する紙幣データを蓄積済みの紙幣データと比較する比較処理、該比較結果により上記各紙幣データが同一であるか否かを判定する判定処理、当該同一の紙幣データの読取回数が不正条件に一致するか否かを判断する不正判断処理を実行する。
また、上記紙幣データ送信プログラムは、前記不正条件に一致した紙幣データを送信する送信処理を実行する。
【００４８】
前記台間機制御部２０には、インタフェース２１、インタフェース２２、メインＣＰＵ２３、ＲＡＭ２４、及びＦＲＯＭ２５を備えている。
前記インタフェース２１は、データ管理装置４への通信接続用のインタフェースであり、データ管理装置４とのデータの送受信を実行する。
【００４９】
前記インタフェース２２は、紙幣識別装置１０への通信接続用のインタフェースであり、紙幣識別装置１０とのデータの送受信を実行する。
前記メインＣＰＵ２３は、台間機７の主制御装置であり、ＦＲＯＭ２５に格納されているプログラムに従って各種制御処理を実行する。
前記ＲＡＭ２４は、前記メインＣＰＵ２３が各処理の際にワークエリアとして利用する書き換え可能な揮発性メモリである。
【００５０】
前記ＦＲＯＭ２５は、必要なプログラム及びデータを格納する書き換え可能な不揮発性メモリであり、紙幣識別装置１０から受信した紙幣データをデータ管理装置４に転送する紙幣データ転送プログラム、及び、データ管理装置４から受信した新しい真偽判別プログラムを紙幣識別装置１０に転送する真偽判別ＰＧ（プログラム）転送プログラムも格納している。
【００５１】
なお、前記紙幣データ転送プログラムは、紙幣データを暗号化する暗号化処理も実行し、前記真偽判別ＰＧ転送プログラムは、受信したデータをデータ管理装置４による暗号化前の真偽判別プログラムに復号化する処理も実行する。
また、新しい真偽判別プログラムは、真偽判別の基準データに前記紙幣データを偽券と判断するように追加設定したものである。
【００５２】
このように構成した台間機７と通信可能に接続しているデータ管理装置４には、マウス及びキーボードで構成する入力手段、ＣＲＴディスプレイで構成する表示手段、ＣＤ−ＲＯＭ（記録媒体）ドライブで構成する記録媒体読込手段、ＦＤ（記録手段）ドライブで構成する記録媒体読書手段、ハードディスクで構成する記憶手段、ＣＰＵで構成する制御手段、ＬＡＮボードで構成する通信手段を備えている。
【００５３】
前記ハードディスクには、ＣＰＵで実行するプログラム及び必要なデータを格納している。必要なプログラムとしては、紙幣データ収集プログラム、及び真偽判別ＰＧ更新プログラムも格納しており、必要なデータとしては、台間機７を介して紙幣識別装置１０から受信する紙幣データを登録して蓄積するデータベースも格納している。
【００５４】
上記紙幣データ収集プログラムは、台間機７から受信したデータを復号化する復号化処理、該復号化で得た紙幣データがデータベース内に格納済みか比較検出する比較処理、上記データベース内に上記紙幣データを登録する登録処理を実行する。
【００５５】
上記真偽判別ＰＧ更新プログラムは、台間機７に備えた紙幣識別装置１０の真偽判別プログラムを更新するか否か決定する更新決定処理、更新用に送信する新しい真偽判別プログラムを生成する生成処理、該生成した真偽判別プログラムを暗号化する暗号化処理、及び、暗号化したデータを台間機７に送信する送信処理を実行する。
【００５６】
以上の回路構成により、紙幣識別装置１０は投入された紙幣の真偽判別を実行し、グレー範囲にある紙幣を読取った回数が続行許容回数に達したときに当該紙幣の紙幣データを送信することができる。
【００５７】
台間機制御部２０は、前記紙幣データをデータ管理装置４に暗号化して安全に転送（アップロード）することができ、データ管理装置４から受信した新しい真偽判別プログラムを復号化して紙幣識別装置１０に転送（ダウンロード）することができる。
紙幣識別装置１０は、上記真偽判別プログラムを受信して更新し、新しい基準データに基づく真偽判別を実行することができる。
【００５８】
次に、図４の貨幣処理装置１０の動作を示す処理フロー図、図５の台間機７の動作を示す処理フロー図、図６のデータ管理装置４の動作を示す処理フロー図、図７の真偽判別基準管理システム１全体の動作を示す処理フロー図と共に、真偽判別基準管理システム１の動作について説明する。
【００５９】
図４に示すように、利用者によって紙幣投入口に紙幣が投入されると、台間機７の紙幣識別装置１０は真偽判別プログラムを起動し、紙幣データ読込処理を実行する（ステップｎ１）。
【００６０】
該紙幣データ読込処理で読取った紙幣データに対して真偽判別処理を実行し、偽券と判断した場合には（ステップｎ２）、当該紙幣を紙幣投入口から排出して返却する返却処理を実行する（ステップｎ３）。
【００６１】
前記ステップｎ２で真券と判断した場合には、グレー判別処理を実行してグレー範囲か否かを判断し（ステップｎ４）、グレー範囲でなければステップｎ１１に処理をスキップする。
【００６２】
グレー範囲であった場合には、不正判断プログラムを起動し、蓄積処理を実行して読取った紙幣データをＦＲＯＭ１５に記録する（ステップｎ５）。
ＣＰＵ１２は、比較処理を実行して読取った紙幣データと過去に記録した紙幣データとを比較し、判定処理を実行して同一の紙幣データを抽出し、不正判断処理を実行して不正条件に一致するか判断する（ステップｎ６）。
【００６３】
ここで上記不正条件は、１台で５回以上読取った紙幣データである場合、１時間で５回以上読取った紙幣データである場合、又は、７日間で５回以上読取ったデータである場合に不正と判断するように設定している。
【００６４】
当該不正条件と一致しなかった場合には、ステップｎ１１に処理をスキップし、一致した場合には、紙幣データ送信プログラムを起動して偽券データ追加信号を台間機７に送信する（ステップｎ７）。
【００６５】
該台間機７から送信要求を受信すると（ステップｎ８）、送信処理を実行して読取紙幣データを台間機７に送信する（ステップｎ９）。
【００６６】
台間機７から送信要求が来ない場合には、３秒経過するまではステップｎ７にリターンして待機し、３秒経過するとステップｎ１１にスキップする（ステップｎ９）。
【００６７】
ＣＰＵ１２は、金種判別で把握した金額を台間機７に送信する真券処理を実行し（ステップｎ１１）、処理を終了して、その後の処理を台間機７に委ねる。
【００６８】
図５に示すように、台間機７は紙幣識別装置１０から紙幣データを受信すると（ステップｐ１）、紙幣データ転送プログラムを起動して、情報漏洩を防止するために暗号化処理で紙幣データを暗号化する（ステップｐ２）。
【００６９】
暗号化したデータは、そのままデータ管理装置４に送信し（ステップｐ３）、処理を終了して、その後の処理をデータ管理装置４に委ねる。
【００７０】
図６に示すように、データ管理装置４は台間機７から暗号化された暗号後データを受信すると（ステップｓ１）、データ管理装置４のＣＰＵは紙幣データ収集プログラムを起動し、復号化処理を実行する（ステップｓ２）。
【００７１】
復号化処理で得た紙幣データとデータベース内に登録済みのデータとを比較する比較処理を実行し（ステップｓ３）、未登録であった場合にはデータベースに登録して処理を終了する（ステップｓ４）。
【００７２】
登録済みであった場合には、登録処理を実行して真偽判別プログラムで使用する基準データに偽券として追加する候補としてデータベースに登録する（ステップｓ５）。
【００７３】
真偽判別ＰＧ更新プログラムを起動し、更新決定処理を実行して、紙幣識別装置１０の真偽判別プログラムを更新するか否かを決定する（ステップｓ６）。
【００７４】
更新する場合には、新規パターン（前記候補の紙幣データ）を基準データに偽券として追加した真偽判別プログラムを全台間機７に対して一括送信する一括送信処理（後述）を実行し（ステップｓ７）、処理を終了する。
更新しない場合には、通常処理を実行し（ステップｓ８）、処理を終了する。
【００７５】
前記一括送信処理は、図７の処理フロー図に示すように、まずデータ管理装置４が台間機７に対してダウンロード待機コマンドを送信する（ステップｔ１）。
【００７６】
該ダウンロード待機コマンドを受信した台間機７は（ステップｔ２）、当該コマンドに従ってダウンロード待機状態となる（ステップｔ３）。
【００７７】
データ管理装置４は、台間機７が待機状態となってたことを確認し（ステップｔ４）、情報漏洩防止のために新しい真偽判別プログラムを暗号化し（ステップｔ５）、該暗号化した暗号後プログラムを台間機７に送信する（ステップｔ６）。
【００７８】
暗号後プログラムを受信（ステップｔ７）した台間機７は、復号化処理を実行し（ステップｔ８）、復号化して得た真偽判別プログラムを紙幣識別装置１０に送信する（ステップｔ９）。
【００７９】
該真偽判別プログラムを受信した紙幣識別装置１０は（ステップｔ１０）、ＦＲＯＭ１５に格納している真偽判別プログラムに上書きして更新し（ステップｔ１１）、処理を終了する。
【００８０】
以上の動作により、真偽判別プログラムを適宜最新化して偽券の投入を早急に排除できるようになる。特に、ある台間機７で偽券が繰り返し使用された場合でも、真偽判別プログラムは複数の台間機７に対して一括して更新するため、他の台間機７で偽券が使用されても排除することができる。
【００８１】
すなわち、真偽判別の際に真券と判別してしまうように巧妙に作成された偽券であっても、真偽の微妙なグレー範囲で特徴的な部分が現れる。グレー範囲で同一特徴を有する紙幣が繰り返し投入されることは通常発生し得ず、これを紙幣識別装置１０で自動検出することで不正な偽券を割り出すことができる。該偽券に関する紙幣データをデータ管理装置４に送信し、該データ管理装置４から全台間機７の紙幣識別装置１０に対して、当該偽券を排除する新しい真偽判別プログラムを一括して配信することで、遊技場での被害を最小限に留めることが可能となる。
【００８２】
なお、真偽判別プログラムの一括配信では、台間機７に備えた紙幣識別装置１０のみでなく、記録媒体販売機３等に備えた紙幣識別装置１０にも配信するように構成することが望ましい。これにより、遊技場全体で偽券を排除することができ、偽券に対するセキュリティレベルが向上する。
【００８３】
また、紙幣識別装置１０で実行した不正判断処理（ステップｎ６）は、台間機７で実行するように構成しても良い。この場合、図４に示した紙幣識別装置１０の処理では、仮想線に示すようにステップｎ４の次にステップｎ１１にスキップする構成とする。
【００８４】
上記不正判断処理は、図５に仮想線で示すように紙幣データ受信（ステップｐ１）後に実行し（ステップｐ４）、不正条件に一致すればステップｐ２に進み、不一致であれば真券処理（ステップｐ５）を実行すればよい。
【００８５】
また、上記不正判断処理を、データ管理装置４で実行する構成としても良い。この場合は、図４に示した紙幣識別装置１０はステップｎ４の後に仮想線に沿ってステップｎ１１にスキップし、図５に示した台間機７は実践で示したステップｐ１〜ｐ３を実行すると良い。
【００８６】
図６に示したデータ管理装置４は、ステップｓ３の後に仮想線で示すように不正判断処理ｓ９を実行すればよい。この場合、不正条件としては、前述した３つの条件、「１台で５回以上読取った紙幣データである場合、１時間で５回以上読取った紙幣データである場合、７日間で５回以上読取ったデータである場合」に、２つの条件「ホール内で５回以上読取った紙幣データである場合、１島内で５回以上読取った紙幣データである場合」を加えると良い。
【００８７】
これにより、利用者が異なる台間機７で１度ずつ偽券を使用したような場合にも対応することができ、偽券に対するセキュリティレベルが向上する。
【００８８】
また、データ管理装置４が各台間機７から収集した紙幣データに基づく新しい真偽判別プログラムの作成は、自動更新に加えて、あるいは自動更新に代えて、定期的又は不定期に人手で紙幣データを分析して真偽判別プログラムをバージョンアップし、一括配信しても良い。
【００８９】
これにより、紙幣のデザインが一新された場合等にも容易に対応ができると共に、自動処理のみでは判別し得ないような偽券に対しても対応することが可能となる。
【００９０】
また、真偽判別基準管理システム１を構築した遊技場を複数備え、それぞれのデータ管理装置４をインターネット等の電気通信回線に接続し、全データ管理装置４の管理を行う統合管理サーバを備えても良い。
【００９１】
該統合管理サーバは、あるデータ管理装置４からバージョンアップ用の真偽判別プログラムを受信したときに、他のデータ管理装置４に一括配信するように構成すると良い。
これにより、１の遊技場で発見された偽券に対して全遊技場で即時に対応することが可能となる。
【００９２】
またこのように電気通信回線に接続する場合には、グレー範囲に該当する紙幣データを暗号化して統合管理サーバに送信し、該統合管理サーバで蓄積するように設定しても良い。
【００９３】
この場合、複数の遊技場で少しずつ偽券が使用された場合であっても、各遊技場から収集した紙幣データに基づいて偽券を発見することが可能となり、より高度なセキュリティレベルを確保することができる。
【００９４】
この発明の構成と、上述の実施形態との対応において、
この発明の価値媒体処理装置は、実施形態の台間機７に対応し、
以下同様に、
価値媒体処理装置は、紙幣識別装置１０、又は台間機７に対応し、
特徴読取手段は、読取機構部１１に対応し、
送信制御手段は、不正判断処理を実行するＣＰＵ１２に対応し、
真偽判別手段は、真偽判別プログラムを実行するＣＰＵ１２に対応し、
送信手段は、インタフェース１４に対応し、
比較処理は、ステップｓ３を実行するデータ管理装置４のＣＰＵに対応し、
新基準生成手段は、ステップｓ７を実行するデータ管理装置４のＣＰＵに対応し、
登録手段は、ステップｔ６を実行するデータ管理装置４のＣＰＵに対応し、
新判別基準出力プログラムは、真偽判別ＰＧ更新プログラムに対応し、
通信手段は、ＬＡＮボードに対応し、
価値媒体は、紙幣に対応し、
特徴データは、紙幣データに対応し、
真偽判別基準は、基準データに対応し、
新基準は、新規パターンに対応し、
疑惑範囲は、グレー範囲に対応し、
所定誤差は、同一に対応し、
所定回数は、不正条件に対応し、
記憶処理は、登録処理に対応するも、
この発明は、上述の実施形態の構成のみに限定されるものではなく、多くの実施の形態を得ることができる。
【図面の簡単な説明】
【図１】真偽判別基準管理システムのシステム構成図。
【図２】台間機の回路構成を示すブロック図。
【図３】基準データのイメージ説明図。
【図４】貨幣処理装置の動作を示す処理フロー図。
【図５】台間機の動作を示す処理フロー図。
【図６】データ管理装置の動作を示す処理フロー図。
【図７】真偽判別基準管理システム全体の動作を示す処理フロー図。
【符号の説明】
１…真偽判別基準管理システム
４…データ管理装置
７…台間機
１０…紙幣識別装置
１１…読取機構部
１２…ＣＰＵ
１４…インタフェース
【図１】
2004303130.tif 000003
【図２】
2004303130.tif 000004
【図３】
2004303130.tif 000005
【図４】
2004303130.tif 000006
【図５】
2004303130.tif 000007
【図６】
2004303130.tif 000008
【図７】
2004303130.tif 000009